(57)【要約】      （修正有）【課題】展示ケースの照明カバーの取り付け、使用がしやすく、展示ケースさらには展示商品の質感を高めるという効果を有する展示ケース照明カバーを提供する。【解決手段】展示ケース照明カバーは、照明器具１０と棚受け１４を取り付けて一体とする。照明器具１０には位置決め部が設置される。前記位置決め部と棚受け１４は、組み合わさって共に展示板１７を受ける。位置決め部の一側には留め縁１０５が設置される。前記留め縁１０５は、棚受け１４を設置するための展示ケース壁面ボード２０と共に展示板両側を支えてこれを留める。棚受け１４には、前後に対応して照明器具に通じる貫通孔が設置されて、前記貫通孔は、展示ケース壁面ボード２０内の電源コードを照明器具内に貫通させて設置する。【選択図】図４
0003176665.tif 000002
【実用新案登録請求の範囲】
【請求項１】
照明器具、棚受け、展示板、ソケット、及びランプを備える展示ケース照明カバーあって、
前記照明器具と前記棚受けは取り付けて一体とし、
前記照明器具には位置決め部が設けられ、
前記位置決め部と棚受けは、共に展示板を支え、
前記照明器具の位置決め部には留め縁が設けられ、
前記留め縁は、棚受けを設置するための展示ケース壁面ボードと共に、展示板を両側から支え、
前記照明器具にはソケットとランプが収納される収納部、及び外部に通じる照明口が設けられ、
前記棚受けの前端と後端の間には貫通孔が設けられ、当該貫通孔は前記照明器具の収納部に通じることを特徴とする展示ケース照明カバー。
【請求項２】
前記照明器具の照明口に、透光カバーが設置されることを特徴とする請求項１に記載の展示ケース照明カバー。
【請求項３】
前記透光カバーは、各種色または各種デザインによって構成されることを特徴とする請求項２に記載の展示ケース照明カバー。
【請求項４】
前記照明器具の収納部には、少なくとも一つ以上の外部に通じる放熱孔が設けられることを特徴とする請求項１に記載の展示ケース照明カバー。
【請求項５】
前記棚受けは、管体で構成されることを特徴とする請求項１に記載の展示ケース照明カバー。
【請求項６】
前記照明器具と前記棚受けは、相互に溶接、又はねじ、又ははめ込みによる固定方式で一体となって設置されることを特徴とする請求項１に記載の展示ケース照明カバー。  
【考案の詳細な説明】
【技術分野】
【０００１】
本考案は、展示ケース照明カバーの改良に関し、特に、設置、取り付けがしやすく、使用が簡単且つ便利であり、照明カバーの展示板に安定性、安全性を持たせると同時に、照明カバー、展示ケースさらには展示される商品に高い質感を与える効果をもたらすことのできる実用性、理想性及び進歩性に優れた展示ケース照明カバーの改良に関する。
【背景技術】
【０００２】
従来の展示ケース用照明カバーの設置は、おおよそ図１、図２、図３に示したとおりである。それは主に、照明器具１０を備える。照明器具１０は、長形に設置されて、その断面は概ね『形を呈していて、両側及び前端には、それぞれ留め縁１０１、１０２が設置される。内側には、固定部品１０３によってソケット１１とランプ１２が設置される。照明器具１０両側の留め縁１０１内側面には、それぞれ粘着テープ１３によって棚受け１４が設置される。前記棚受け１４は、適当な長さで設置され、その後端には、はめ込み部１４１が展示ケース壁面ボード２０の位置決め溝２０１に固定設置されて、取り付けるのに用いられることで、照明器具１０が外側に突き出た形態で展示ケース壁面ボード２０に対応する。このうち、棚受け１４の内側面には、コードガイド１５が照明器具１０と展示ケース壁面ボード２０の間に延伸していて、展示ケース壁面ボード２０内の電源コード１５１が、これに沿って照明器具１０に引き込まれる。また、左、右の棚受け１４上には、それぞれ前、後に対応する滑り止め１６が設置され、滑り止め１６上には展示板１７（一般的には透明なガラス）が設置されて、展示商品を直接展示板１７上に置くことができるようになっている。このように、所定の数量の照明カバーの棚受け１４が順に展示ケース壁面ボード２０の位置決め溝２０１に上、下対応するように固定設置された後、前記棚受け１４上の位置に設置された展示板１７は、展示商品（図示はされない）を載せることができる。前記上方に配列された照明カバーの照明器具１０及びその内側のランプ１２は、下方の照明カバーの展示板１７上に対になって配列されて、展示商品に照明やライトアップ効果を提供することで、展示商品に所定の展示効果を持たせるものである。
【０００３】
上述の展示ケースの照明カバーが、確かに所定の照明及びライトアップの効果を達成することは否定できない上、現在業界で最も一般的に採用されている方式ではあるものの、長時間使用していると、以下のような問題が発生することが明らかである。
１、照明器具１０及び棚受け１４は、分離して設置され、且つ、相互間は粘着テープ１３のみで粘着されているため、一定の期間使用され、常時接触や衝撃が与えられた場合、ずれたり、脱落したりすることが考えられ、使用上不便が生じるだけでなく、物品の脱落や傾斜により危険が発生することも考えられる。
２、上述の状況を鑑み、照明器具１０及び棚受け１４がずれたり、脱落したりするのを防ぐために、一定期間使用された後、接合箇所をねじで固定する等の方法で補助的処置を行う。これは、手間がかかるだけでなく、不便や時間の無駄を生じることになる上、照明カバーに対しても、展示ケース全体の美観を損ねたり、質感に影響したりする。
３、棚受け１４上には別に滑り止め１６を取り付ける必要があり、コストが嵩むほか、実施が面倒で不便を生じる。
４、前記滑り止め１６は、着脱可能な形態で設置されるため、清掃時や展示板１７を交換する場合、容易に脱落する。これは、やり直す時間が無駄になり、面倒であると同時に遺失することも考えられる。
５、滑り止め１６は、長時間使用すると磨耗や材質の酸化により滑り止めの効果が低下する。展示板１７は常時接触や衝撃を受ける可能性があり、位置がずれたり、安定性や位置の正確性に欠けるといった問題も考えられる上、脱落する危険性も生じる。
６、電源コード１５１は、コードガイドを追加設置して照明器具１０に引き込む必要がある。前記コードガイド１５は、棚受け１４の外に露出した状態で設置される。一般に展示板１７は透明であり、コードガイド１５の存在が一目瞭然で見えるという状況は、照明カバーや展示ケース、さらには、展示される商品にとって、美観を損ねたり、目立ちすぎたりすることが懸念される。
７、前記電源コード１５１を設置するためのコードガイド１５は、一般には、両面テープ等の粘着テープ１５２（図３に示したとおり）によって棚受け１４に粘着される。一定の期間使用した場合、後日の取り外しや修理、検査等が原因で粘着力が低下したり、前のテープ跡が残ったりして、照明カバーや展示ケース、さらには、展示される商品にとって、美観を損ねたり、目立ちすぎたりすることが考えられる。
【考案の概要】
【考案が解決しようとする課題】
【０００４】
したがって、本考案は、上述の問題を改善して、展示ケースの照明カバーの取り付け、使用がしやすく、さらに、簡単で、便利なことで、照明カバーの展示板に位置決めの際の安定性、安全性を高めて、照明カバー、展示ケースさらには展示商品の質感を高めるという効果を有する展示ケース照明カバーを提供することを課題とする。
【課題を解決するための手段】
【０００５】
上記課題を解決するために、本考案は、上述の問題を改善して、展示ケースの照明カバーの取り付け、使用がしやすく、さらに、簡単で、便利なことで、照明カバーの展示板に位置決めの際の安定性、安全性を高めて、照明カバー、展示ケースさらには展示商品の質感を高めるという効果を有する展示ケース照明カバーを提供することを目的とする。
【０００６】
すなわち、本考案の展示ケース照明カバーは、上記目的を達成するために、以下の特徴を有する。
本考案の展示ケース照明カバーは、照明器具と棚受けを取り付けて一体とする。照明器具には位置決め部が設置される。前記位置決め部と棚受けは、組み合わさって共に展示板を受ける。位置決め部の一側には留め縁が設置される。前記留め縁は、棚受けを設置するための展示ケース壁面ボードと共に展示板両側を支えてこれを留める。棚受けには、前後に対応して照明器具に通じる貫通孔が設置されて、前記貫通孔は、展示ケース壁面ボード内の電源コードを照明器具内に貫通させて設置する。このように、本考案の展示ケース照明カバーは、照明カバー全体の取り付けの際、簡単で、便利且つ速やかで効率が高い。展示板の位置決めの際にも、ずれにくく、安定性と安全性を有し、さらに、電源コードを隠蔽して外に露出することがない。したがって、使用の際の安全性を高めて、照明カバー、展示ケース、さらに、展示される商品の質感を高めるだけでなく、積極的なグレードアップ効果を有する。
【考案の効果】
【０００７】
本考案の展示ケース照明カバーは、照明カバー全体の取り付けの際、簡単で、便利且つ速やかで効率が高い。展示板の位置決めの際にも、ずれにくく、安定性と安全性を有して、さらに、電源コードを隠蔽して外に露出することがない。したがって、使用の際の安全性を高めて、照明カバー、展示ケース、さらに、展示される商品の質感を高めるだけでなく、積極的なグレードアップ効果を有する。
【図面の簡単な説明】
【０００８】
【図１】従来の展示ケースの照明カバーを示した立体図である。
【図２】図１の側面図である。
【図３】図１の正面図である。
【図４】本考案の実施形態における立体図である。
【図５】図４の側面図である。
【符号の説明】
【０００９】
１０          照明器具
１０１、１０２  留め縁
１０３          固定部品
１０４          位置決め部
１０５          留め縁
１０６          収納部
１０７          照明口
１０８          放熱孔
１０９          貫通孔
１１            ソケット
１２            ランプ
１３            粘着テープ
１４            棚受け
１４１          はめ込み部
１４２          貫通孔
１５            コードガイド
１５１          電源コード
１５２          粘着テープ
１６            滑り止め
１７            展示板
１８            照明カバー
２０            展示ケース壁面ボード
２０１          位置決め溝
【考案を実施するための形態】
【００１０】
以下、図４、図５を参照しながら、本考案の展示ケース照明カバーの改良について説明する。
本考案の展示ケース照明カバーは、照明器具１０と棚受け１４を取り付けて一体とする。照明器具１０には位置決め部１０４が設置されて、棚受け１４に接続される。前記位置決め部１０４と棚受け１４は、共に展示板１７を受ける。位置決め部１０４の一側には、留め縁１０５が設置される。前記留め縁１０５と棚受け１４を設置するための展示ケース壁面ボード２０は向き合って、共に棚受け１４と照明器具位置決め部１０４に置かれる展示板１７両側に当接して支え、これを留める。照明器具１０には、収納部１０６及び外部に通じる照明口１０７が設置される。前記収納部１０６内には、固定部品１０３を有して、ソケット１１とランプ１２を取り付けるのに供する。前記照明口１０７には、透光カバー１８が設置されてランプ１２の光線投射及び外部への照明に供される。照明器具１０には、１個または１個以上の外部から収納部１０６まで貫通する放熱孔１０８を有することで、ランプ１２が発した照明の高熱を放熱する。また、棚受け１４は、後端にはめ込み部１４１を有して展示ケース壁面ボード２０の位置決め溝２０１に固定設置されるほか、前端と後端の間に、さらに貫通孔１４２が設置されて、前記貫通孔１４２は、さらに照明器具１０の貫通孔１０９に対応して、あらかじめ照明器具収納部１０６に貫通設置されることで、展示ケース壁面ボード２０内の電源コード１５１は、棚受け１４の貫通孔１４２に沿って照明器具１０の収納部１０６に隠蔽するように設置されて、ランプ１２に電力を供給する。
【００１１】
さらに、前記照明器具１０と棚受け１４は、相互に溶接、またはねじ、またははめ込みによる固定方式で一体となって設置される。
【００１２】
さらに、前記照明器具１０の照明口１０７に設置される透光カバー１８は、所定の各種色またはデザインで構成されることが可能であることにより、ランプ１２と組み合わせて各種色または各種形態の照明光を提供することができる。
【００１３】
さらに、前記棚受け１４は、管体で構成することも可能で、電源コード１５１を貫通孔に貫通設置させることができる。
【００１４】
すなわち、上述の構成により、本考案の展示ケース照明カバーは、照明器具１０及び棚受け１４が一体として設置され、所定の数量の照明カバーの棚受け１４が順に上、下に対応する形態で展示ケース壁面ボード２０の位置決め溝２０１に設置され、前記一体となる各照明器具１０は、共に位置決めが行われて、直接外部に突出する形態でそれぞれ展示ケース壁面ボード２０に対応する。前記照明器具１０の位置決め部１０４と棚受け１４は、組み合わさって展示板１７の設置に供する。さらに、照明器具位置決め部１０４一側の留め縁１０５もまた、対応する展示ケース壁面ボード２０と組み合わさって展示板１７両側端に対して当接して制止作用を有する。つまり、前記設置された展示板１７は、定位置からずれて滑脱することなく、安定性と使用の安全性を有する。また、前記棚受け１４によって設置される前、後に対応する貫通孔１４２は、照明器具１０の収納部１０６に通じ、且つ、直接展示ケース壁面ボード２０内の電源コード１５１を照明器具１０に隠蔽するように設置されて電力を供給する。つまり、電源コード１５１は、外部に露出することなく、別の隠蔽のための設備を必要とすることがないため、使用の安全性を高めると同時に、照明カバー、展示ケース、さらには、展示される商品の質感を高める効果も有する。また、前記照明器具１０の照明口１０７は、各種色またはデザインの透光カバー１８を設置することで、ランプ１２を各種所定の色または形態によって外に向って投射、照明することが可能である。すなわち、実施上、照明カバーの使用を、多元的及び使用範囲を拡大する効果を有して、照明、ライトアップされる展示ケース、さらには展示商品に、所定の質感を高めて、変化に富んだ展示を行うことが可能である。
【００１５】
さらに、照明器具１０の収納部１０６には、一個または一個以上の外に向って貫通する放熱孔１０８が設置されることで、ランプ１２が発生する熱気がスムーズに外に発散されて、照明カバーの寿命を延長させることが可能である。
【００１６】
すなわち、本考案の展示ケース照明カバーの改良は、少なくとも以下の長所を有する。
１、設置がしやすく、操作、使用が簡単、便利、速やかで、効率が高い。
２、照明カバーの展示板は、位置決めの際の安定性と安全性を有する。
３、照明カバー、展示ケース、さらには、展示される商品の質感を高める。
４、展示ケースの照明カバーの使用により、多元性を有すると同時に、使用範囲が拡大する。
５、照明、ライトアップされる展示ケース、さらには、展示商品に質感を持たせると同時に、変化に富んだ展示を可能にする。
【図１】
0003176665.tif 000003
【図２】
0003176665.tif 000004
【図３】
0003176665.tif 000005
【図４】
0003176665.tif 000006
【図５】
0003176665.tif 000007